(57)【特許請求の範囲】
【請求項１】
取付部材と、この取付部材のねじ孔に先端回転操作部が突出するように螺嵌する可動体と、この可動体に、当該可動体の先端面から吸着面が突出するように内装された磁石利用の吸着体とから成るマグネットキャッチであって、前記可動体は、軸心と平行な分割面を有する複数の分割片を、その内側に前記吸着体を包み込むように重ね合わせて成るものであって、この分割片と前記吸着体とには、当該分割片で吸着体を包み込んだときに互いに嵌合する吸着体抜け止め用嵌合部が形成されているマグネットキャッチにおいて、
前記吸着体は、帯板状磁石と当該帯板状磁石を両側から挟む一対のヨーク材とから成り、前記吸着体側の吸着体抜け止め用嵌合部は、帯板状磁石の露出側面とこれに隣接する一対のヨーク材それぞれの外周面の側辺とにわたって直線状に切り欠き形成された凹入部から成り、前記分割片側の吸着体抜け止め用嵌合部は、直線状に連続する前記凹入部に嵌合するように当該分割片に形成された突起部から構成されている、マグネットキャッチ。
【請求項２】
前記可動体は、有底円筒体を、その軸心を通る一つの平面状分割面で２分割して形成された二つの分割片から成り、一方の分割片の分割面からは突起が突設され、他方の分割片の分割面には前記突起が嵌合する孔が形成されている、請求項１に記載のマグネットキャッチ。
【請求項３】
前記可動体の二つの分割片は、その底部に於いて薄肉ヒンジ部を介して１８０度展開した状態で一体成形されている、請求項２に記載のマグネットキャッチ。
【請求項４】
前記凹入部は、帯板状磁石の露出両側面とこれに隣接する一対のヨーク材それぞれの外周面の両側辺とにわたって直線状に切り欠き形成され、前記可動体は、有底円筒体を軸心と平行な１つの分割面で２分割して形成された二つの分割片から成り、この各分割片の吸着体嵌合凹窪部の両側辺に前記突起部が突設されている、請求項１〜３の何れか１項に記載のマグネットキャッチ。
【発明の詳細な説明】
【０００１】
【発明の属する技術分野】
本発明は、扉体等に取り付けられた磁性板を吸着して前記扉体等を定位置に保持するマグネットキャッチに関するものである。
【０００２】
【従来の技術】
この種のマグネットキャッチとして、取付部材と、この取付部材のねじ孔に先端回転操作部が突出するように螺嵌する可動体と、この可動体に、当該可動体の先端面から吸着面が突出するように内装された磁石利用の吸着体とから成るマグネットキャッチが知られている。
【０００３】
このような構成のマグネットキャッチは、可動体をその先端回転操作部を介して正逆回転操作することにより、可動体先端に露出している吸着面を取付部材に対し可動体の軸心方向に出退移動させ、磁性板を介して扉体等を吸着保持する位置を前後に微調整することが出来るので、取付部材そのものの取付位置を前後に微調整するものよりも、調整が容易であり、しかも取付部材の取付強度が不測に低下してしまう恐れもない。
【０００４】
【発明が解決しようとする課題】
しかしながら、従来のこの種のマグネットキャッチでは、可動体に設けられた孔の中に吸着体を嵌入させて両者を接着剤で接着固定したものであったため、接着不良や接着剤の経年劣化により可動体と吸着体との接着強度が低下し、吸着保持している扉体等を開動させるとき、吸着体が可動体から引き抜かれて脱落する不都合が生じていた。
【０００５】
【課題を解決するための手段】
本発明は上記のような従来の問題点を解消し得るマグネットキャッチを提供することを目的とするものであって、その手段を後述する実施形態の参照符号を付して示すと、取付部材１と、この取付部材１のねじ孔５に先端回転操作部７が突出するように螺嵌する可動体６と、この可動体６に、当該可動体６の先端面から吸着面８ａが突出するように内装された磁石利用の吸着体８とから成るマグネットキャッチであって、前記可動体６は、軸心と平行な分割面１３ａ，１４ａを有する複数の分割片１３，１４を、その内側に前記吸着体８を包み込むように重ね合わせて成るものであって、この分割片１３，１４と前記吸着体８とには、当該分割片１３，１４で吸着体８を包み込んだときに互いに嵌合する吸着体抜け止め用嵌合部２６（２６，２７）が形成されたマグネットキャッチにおいて、前記吸着体８は、帯板状磁石２３と当該帯板状磁石２３を両側から挟む一対のヨーク材２４，２５とから成り、前記吸着体８側の吸着体抜け止め用嵌合部２６（２６，２７）は、帯板状磁石２３の露出側面２３ａとこれに隣接する一対のヨーク材２４，２５それぞれの外周面２４ａ，２５ａの側辺とにわたって直線状に切り欠き形成された凹入部３０ａ（３０ａ，３０ｂ）から成り、前記分割片１３（１３，１４）側の吸着体抜け止め用嵌合部２６（２６，２７）は、直線状に連続する前記凹入部３０ａ（３０ａ，３０ｂ）に嵌合するように前記分割片１３（１３，１４）に形成された突起部２８ａ（２８ａ〜２９ｂ）から成る構成となっている。
【０００６】
上記の本発明のマグネットキャッチを実施するについて、前記可動体６は、有底円筒体を、その軸心を通る一つの平面状分割面１３ａ，１４ａで２分割して形成された二つの分割片１３，１４から構成し、一方の分割片１３の分割面１３ａからは突起１６を突設し、他方の分割片１４の分割面１４ａには前記突起１６が嵌合する孔１７を形成することが出来る。この場合、前記可動体６の二つの分割片１３，１４は、その底部に於いて薄肉ヒンジ部１５を介して１８０度展開した状態で一体成形することが出来る。
【０００８】
更に、前記凹入部３０ａ，３０ｂは、帯板状磁石２３の露出両側面２３ａ，２３ｂとこれに隣接する一対のヨーク材２４，２５それぞれの外周面２４ａ，２５ａの両側辺とにわたって直線状に切り欠き形成し、前記可動体６は、有底円筒体を軸心と平行な１つの分割面１３ａ，１４ａで２分割して形成された二つの分割片１３，１４から構成すると共に、この各分割片１３，１４の吸着体嵌合凹窪部２１，２２の両側辺に前記突起部２８ａ〜２９ｂを突設することが出来る。
【０００９】
【発明の実施の形態】
以下に本発明の好適実施形態を添付図に基づいて説明すると、図１〜図３に於いて、１は合成樹脂成形品である取付部材であって、左右両端に取付用孔２を備えた張出板部３を有すると共に、中央一箇所に軸心が前後水平方向の有底円筒部４が形成されている。当該有底円筒部４の内側は前端開放のねじ孔５に形成され、このねじ孔５に可動体６が前後方向移動自在に螺嵌されている。可動体６は、取付部材１の前側に突出する先端に大径の回転操作部７を備え、内部には磁石利用の吸着体８が同心状に埋設され、当該吸着体８の先端吸着面８ａが可動体６の先端面（先端回転操作部７の端面）６ａから若干突出している。
【００１０】
上記のマグネットキャッチは、例えば家具の扉体９で開閉される収納空間の床面１０上に取付用孔２を利用して木ねじ１１により取り付けられ、扉体９には、その裏面下端近傍に磁性板１２が取り付けられる。しかして、扉体９を閉じたとき、磁性板１２がマグネットキャッチの吸着体８の先端吸着面８ａに吸着され、扉体９が閉じ位置に保持される。このマグネットキャッチによって保持される扉体９の閉じ位置は、取付部材１に対し可動体６を正逆回転操作して吸着体８の先端吸着面８ａの位置を前後に移動させることにより、前後に調整することが出来る。
【００１１】
上記のマグネットキャッチの詳細構造を図４〜図８に基づいて説明すると、前記可動体６は、開口端に大径の回転操作部７を備えた有底円筒体を、その軸心を通る一つの平面状分割面１３ａ，１４ａで２分割して形成された二つの分割片１３，１４から成り、両分割片１３，１４は、その底部に於いて薄肉ヒンジ部１５を介して１８０度展開した状態で一体成形されている。更に、一方の分割片１３の分割面１３ａの回転操作部７を形成する左右両厚肉部分には突起１６が一体成形により突設され、他方の分割片１４の分割面１４ａには、前記薄肉ヒンジ部１５を支点にして両分割片１３，１４を折り重ねたときに前記突起１６が嵌合する孔１７が形成されている。
【００１２】
各分割片１３，１４の先端回転操作部７を形成する部分より底側の外周面には、前記薄肉ヒンジ部１５を支点にして両分割片１３，１４を折り重ねたときに連続してねじ孔５に螺合し得るねじ山１８，１９がそれぞれ形成されると共に、各分割片１３，１４の分割面１３ａ，１４ａには、前記薄肉ヒンジ部１５を支点にして両分割片１３，１４を折り重ねたときに吸着体８を内装する有底柱状孔２０を形成する吸着体嵌合凹窪部２１，２２がそれぞれ設けられている。
【００１３】
吸着体８は、帯板状磁石２３と当該磁石２３を両側から挟む一対のヨーク材２４，２５とから成るもので、先端吸着面８ａは、ヨーク材２４，２５の端面で構成され、当該ヨーク材２４，２５の外周面２４ａ，２５ａは、吸着体８の軸心と同心状の湾曲面に形成され、吸着体８の直径方向両側に露出する帯板状磁石２３の両側面２３ａ，２３ｂは、互いに平行な偏平面である。この吸着体８を内装する可動体４側の有底柱状孔２０を形成する両分割片１３，１４の吸着体嵌合凹窪部２１，２２は、その両側辺に帯板状磁石２３の偏平両側面２３ａ，２３ｂに隣接する平行偏平側面２１ａ，２１ｂ及び２２ａ，２２ｂが形成されると共に、これら平行偏平側面２１ａ，２１ｂ間及び２２ａ，２２ｂ間で各ヨーク材２４，２５の外周面２４ａ，２５ａに隣接する円弧状周面２１ｃ，２２ｃとから成る。
【００１４】
帯板状磁石２３の両側にヨーク材２４，２５をそれぞれ当て付けて互いに吸着一体化して成る吸着体８と、可動体６を形成する両分割片１３，１４とには、当該両分割片１３，１４の吸着体嵌合凹窪部２１，２２で形成される有底柱状孔２０に内嵌させた吸着体６の抜け止め用嵌合部２６，２７が形成されている。両分割片１３，１４側の吸着体抜け止め用嵌合部２６は、両分割片１３，１４の吸着体嵌合凹窪部２１，２２に於ける平行偏平側面２１ａ，２１ｂ及び２２ａ，２２ｂとこれに連なる円弧状周面２１ｃ，２２ｃとにわたって形成した突起部２８ａ，２８ｂ及び２９ａ，２９ｂから構成され、吸着体８側の抜け止め用嵌合部２７は、帯板状磁石２３の偏平両側面２３ａ，２３ｂとこれに隣接するヨーク材２４，２５の両側辺とにわたって形成された凹入部３０ａ，３０ｂから構成されている。
【００１５】
両分割片１３，１４側の突起部２８ａ，２８ｂ及び２９ａ，２９ｂは、両分割片１３，１４を互いに重ね合わせたときに、有底柱状孔２０の奥端近傍両側に互いに平行な直線状の一対の突条を形成するものであり、吸着体８側の凹入部３０ａ，３０ｂは、当該吸着体８を、その両側の帯板状磁石２３の偏平両側面２３ａ，２３ｂが両分割片１３，１４の吸着体嵌合凹窪部２１，２２に於ける平行偏平側面２１ａ，２１ｂ及び２２ａ，２２ｂに隣接するように、両分割片１３，１４の吸着体嵌合凹窪部２１，２２内に嵌合させるとき、凹入部３０ａ，３０ｂの下半部が分割片１３側の突起部２８ａ，２８ｂに嵌合すると共に、凹入部３０ａ，３０ｂの上半部が分割片１４側の突起部２９ａ，２９ｂに嵌合するものである。
【００１６】
上記構成のマグネットキャッチは、図４及び図５に示すように両分割片１３，１４が１８０度展開状態にある可動体６の一方の分割片１３の吸着体嵌合凹窪部２１に、帯板状磁石２３を一対のヨーク材２４，２５で挟んで互いに吸着一体化した吸着体８の下半部を、その両側の凹入部３０ａ，３０ｂの下半部が吸着体嵌合凹窪部２１の両側の突起部２８ａ，２８ｂに嵌合するように嵌め込み、次に他方の分割片１４を薄肉ヒンジ部１５を支点にして一方の分割片１３の上に被せるように重ね合わせて、当該分割片１４の吸着体嵌合凹窪部２２を吸着体８の上半部に被せると同時に、当該吸着体嵌合凹窪部２２の両側の突起部２９ａ，２９ｂに吸着体８の両側の凹入部３０ａ，３０ｂの上半部を嵌合させると共に、分割片１４の孔１７に分割片１３の突起１６を嵌入させることにより、吸着体８を内装した可動体６が組み立てられる。勿論、突起１６と孔１７との間や分割面１３ａ，１４ａ間に接着剤を併用して、両分割片１３，１４を完全に固着しても良い。
【００１７】
上記のように組み立てられた可動体６は、その先端面６ａ（先端回転操作部７の端面）から吸着体８の先端吸着面８ａ（ヨーク材２４，２５の端面）が所定量だけ突出している。この可動体６を、その外周のねじ山１８，１９を利用して取付部材１のねじ孔５に螺嵌することによりマグネットキャッチが構成され、先端吸着面８ａの前後調整は、先端回転操作部７を利用して可動体６を正逆回転操作して当該可動体６を取付部材１に対し前後に出退移動させることにより行える。
【００１８】
尚、可動体６側の突起部２８ａ〜２９ｂと吸着体８側の凹入部３０ａ，３０ｂとの間に適当な余裕空間を有せしめることにより、可動体６に対し吸着体８（先端吸着面８ａ）を一定範囲内で自由運動可能にし、以て、扉体９側の磁性板１２が先端吸着面８ａに密着出来るようにする、即ち、吸着保持力を増大させることができる。
【００１９】
又、図９に示すように、吸着体８側には、前記凹入部３０ａ，３０ｂの他に、ヨーク材２４，２５の外周面２４ａ，２５ａに凹窪部３１ａ，３１ｂを形成し、可動体６側には、前記凹窪部３１ａ，３１ｂに嵌合する突出部３２ａ，３２ｂを各分割片１３，１４の吸着体嵌合凹窪部２１，２２に突設することが出来る。この場合は、ヨーク材２４，２５の両側辺に形成される凹入部３０ａ，３０ｂと可動体６側の突起部２８ａ〜２９ｂとの嵌合深さが浅くとも、各ヨーク材２４，２５を確実に抜け止めすることが出来る。
【００２０】
尚、可動体６を二つの分割片１３，１４から構成したが、三つ以上の分割片から構成することも可能である。又、分割片１３，１４を薄肉ヒンジ部１５で連結して一体に成形したが、分離独立させて構成することも出来る。更に、可動体６と吸着体８とに構成する吸着体抜け止め用嵌合部２６，２７の位置も、上記実施形態のように吸着体８の後端近傍両側に限定されるものではなく、吸着体８の周方向一箇所でも良いし、前後長さ方向の中央位置や前端寄り位置に設けることも出来る。
【００２１】
【発明の効果】
本発明のマグネットキャッチは以上のように実施し且つ使用することができるものであって、係る本発明のマグネットキャッチによれば、磁石利用の吸着体と可動体とを接着剤で互いに固着する必要がなく、可動体を構成する複数の分割片で吸着体を包み込ませた状態で当該可動体を取付部材に螺嵌させるだけで、可動体から吸着体が離脱するのを、互いに嵌合している両者の抜け止め用嵌合部によって確実に防止することが出来る。従って、組み立て作業が容易になると共に接着剤が不要になることでコストダウンも図ることが出来、しかも、接着不良や接着剤の経年劣化で吸着体が不測に抜け落ちるような恐れが無くなる。更に、本発明の構成によれば、吸着体側の抜け止め用嵌合部と可動体側の抜け止め用嵌合部との間に適当な余裕空間を有せしめるだけで、可動体に対し吸着体（先端吸着面）を一定範囲内で自由運動可能にすることが出来る。従って、取付部材の取付姿勢に多少のばらつきがあっても、扉体等に取り付けられた磁性板と前記先端吸着面とを密着させて強固に保持させることが出来る。即ち、磁気吸着力を増大させるのに役立つ。
【００２２】
尚、請求項２に記載の構成によれば、可動体の組み立てが簡単で、しかも分割片間のずれを防止出来るので、特に分割片どうしを接着しなくとも、吸着体を包み込んだ状態で取付部材へ組み込む作業が容易に行える。
【００２３】
又、請求項３に記載の構成によれば、可動体を構成する二つの分割片を１部品として安価に成形することが出来ると共に、可動体の組み立て作業も一層簡単になる。
【００２５】
又、請求項４に記載の構成によれば、吸着体側の抜け止め用嵌合部と可動体側の抜け止め用嵌合部の形成が容易になる。
【図面の簡単な説明】
【図１】  マグネットキャッチの使用状態を示す側面図である。
【図２】  マグネットキャッチの平面図である。
【図３】  マグネットキャッチの正面図である。
【図４】  可動体と吸着体の組み立て前の状態を示す一部縦断側面図である。
【図５】  図４の可動体の平面図である。
【図６】  図４の一部縦断正面図である。
【図７】  Ａ図は組み立てられた可動体を示す側面図であり、Ｂ図はその一部縦断側面図である。
【図８】  組み立てられた可動体の吸着体抜け止め用嵌合部の位置での縦断正面図である。
【図９】  変形例を示す縦断正面図である。
【符号の説明】
１    取付部材
５    ねじ孔
６    可動体
７    先端回転操作部
８    吸着体
８ａ    先端吸着面
１３，１４    分割片
１３ａ，１４ａ    分割面
１５    薄肉ヒンジ部
１６    突起
１７    孔
２３    帯板状磁石
２４，２５    一対のヨーク材
２６，２７    吸着体抜け止め用嵌合部
２８ａ〜２９ｂ    突起部
３０ａ，３０ｂ    凹入部
３１ａ，３１ｂ    凹窪部
３２ａ，３２ｂ    突出部
【図１】
0004380056.tif 000002
【図２】
0004380056.tif 000003
【図３】
0004380056.tif 000004
【図４】
0004380056.tif 000005
【図５】
0004380056.tif 000006
【図６】
0004380056.tif 000007
【図７】
0004380056.tif 000008
【図８】
0004380056.tif 000009
【図９】
0004380056.tif 000010